(57)【特許請求の範囲】
【請求項１】
被照射物に放射線を照射する放射線照射部と、当該放射線照射部の放射線照射領域に前記被照射物を搭載する搭載部と、前記放射線照射領域の近傍の所定位置に配置された線量計プローブと、前記線量計プローブの検出した線量により前記放射線照射部の放射線照射を停止させる制御部と、前記搭載部が配置される空間を覆う空間遮蔽体と、前記空間遮蔽体に設けられた開口の外側に固定されたベースと、前記線量計プローブを前記空間遮蔽体の内側の空間に支持する線量計プローブ支持機構とを有し、
前記線量計プローブ支持機構は、前記ベースに固定されて前記線量計プローブを支持する支持台と、前記線量計プローブの一部を覆う放射線遮蔽体と、前記放射線遮蔽体に連結された伝達金具と、前記ベースに挿入された送りねじと、前記ベースに解除可能に固定された固定ねじとを含み、
前記送りねじは、先端が前記伝達金具に挿入され、その回転方向により前記伝達金具を前記ベースから遠ざける方向に送り出し、および、前記ベースに接近させる方向に引き込むことにより、前記放射線遮蔽体を前記線量計プローブの長手方向に移動させ、
前記固定ねじは、その先端が前記伝達金具の端部に突き当てられていることを特徴とする放射線照射装置。
【請求項２】
請求項１に記載の放射線照射装置であって、
前記線量計プローブ支持機構は、一端が前記ベースに固定された棒状のガイドをさらに含み、
前記ガイドは、前記線量計プローブと平行に配置され、前記放射線遮蔽体に設けられた貫通孔に挿入されて、前記伝達金具の移動をガイドすることを特徴とする放射線照射装置。
【請求項３】
請求項１に記載の放射線照射装置において、前記固定ねじには、ベースに対する固定を解除するロックナットが、前記ベースの外側に配置されていることを特徴とする放射線照射装置。
【請求項４】
請求項１に記載の放射線照射装置において、前記放射線照射部および前記線量計プローブが配置された空間の外側を覆う放射線防護カバーをさらに有し、
前記放射線防護カバーには、前記調整機構を操作するための開口が設けられ、前記開口には、着脱可能な防護カバーが取り付けられていることを特徴とする放射線照射装置。
【請求項５】
請求項４に記載の放射線照射装置において、前記放射線防護カバーの前記開口および前記着脱可能な防護カバーの少なくともに一方には、前記開口に前記着脱可能な防護カバーが取り付けられていることを検出する検出部が備えられていることを特徴とする放射線照射装置。
【請求項６】
請求項５に記載の放射線照射装置において、前記検出部が前記着脱可能な防護カバーが取り付けられていることを検出していない場合、前記制御部は、前記放射線照射部に放射線を照射させないことを特徴とする放射線照射装置。
【請求項７】
請求項６に記載の放射線照射装置において、前記制御部は、前記着脱可能な防護カバーが取り付けられていない場合、エラー表示を表示部に表示させることを特徴とする放射線照射装置。
【発明の詳細な説明】
【技術分野】
【０００１】
本発明は、放射線照射装置に関し、特に輸血用血液を封入する血液バッグ（以下、血液製剤という。）等にＸ線またはγ線を含む放射線を照射する放射線照射装置における、血液製剤等の試料の厚みによる放射線照射量の補正技術に関する。
【背景技術】
【０００２】
血液バッグ内の輸血用血液は、ＧＶＨＤ（Ｇｒａｆｔ  Ｖｅｒｓｕｓ  Ｈｏｓｔ  Ｄｉｓｅａｓｅ）と呼ばれる副作用を生じることが知られている。これを予防するため、血液製剤に放射線を照射し、血液製剤の内のリンパ球を不活性化する処理を施す必要がある。不活性化処理に用いられる放射線としては、放射性同位元素137Ｃｓ（セシウム）を利用したγ線とＸ線とがある。
【０００３】
不活性化処理のための放射線照射装置としては、例えば特許文献１に開示がなされた二方向照射装置が知られている。二方向照射装置は、Ｘ線管装置（第一のＸ線管装置と称する）と、第二のＸ線管装置の陰極及び陽極が第一のＸ線管装置と対面して防護室に組み込まれ、第一、第二のＸ線管装置の中間に試料皿（以下、トレイと称する）が配置される。照射線量をモニタリングする線量計プローブがトレイの近傍に配置される。二つのＸ線管装置により、試料の上面と下面から同時にＸ線の照射を行うことにより、トレイを裏返す必要がなく、かつ、従来の装置よりも大線量かつ均一な照射を行うことができる。線量計プローブにより照射線量をモニタリングし、規定の線量に到達したら自動的に放射線照射を停止する。
【先行技術文献】
【特許文献】
【０００４】
【特許文献１】実公平７−４３６７９号公報
【発明の開示】
【発明が解決しようとする課題】
【０００５】
二方向照射装置では、Ｘ線照射範囲内に置かれた血液製剤に、必ず予め定められた値以上の線量のＸ線が照射されることを担保するため、線量計プローブの検出する線量率（単位時間当たりのＸ線照射線量）をプローブの露出長さにより調整している。調整手順としては、最初に血液バッグに水を充填した模擬の血液製剤もしくは血液製剤相当のファントームをトレイ収納範囲内（Ｘ線照射範囲内）に配置し、線量計プローブを用いて、トレイ収納範囲内の各箇所でＸ線の線量を測定することにより線量分布を求める。線量分布から、トレイ収納範囲内の線量率の最小値を特定する。線量分布測定に用いた線量計プローブを、トレイ近傍の所定位置（モニター位置）に配置し、この位置で線量計プローブが検出する線量率が、トレイ収納範囲内の最小の線量率以下になるように、線量計プローブがＸ線遮蔽体から露出される長さを調整する。
【０００６】
線量計プローブは、形状が棒状であり、筒状のＸ線遮蔽体（金属）の支持部によって支持されている。線量計プローブと支持部との固定は押しねじによって固定される。線量計プローブへのＸ線量の入射量は、支持部から線量計プローブが露出されている長さで決まり、長く露出されているとモニター線量率が増え、逆に引き込むとモニター線量率は下がる。
【０００７】
すなわち、モニター位置で線量計プローブが検出する線量率がトレイ収納範囲内の線量率よりも低くなるように露出長さを調整しているため、モニター位置で計測される線量はＸ線照射範囲内のどの部位よりも低い。このため、モニター位置での測定結果が規定の線量に到達した時点で放射線照射を停止することで、Ｘ線照射範囲内に置かれた血液製剤には必ず規定量以上のＸ線が照射される。
【０００８】
Ｘ線管装置から放射されるＸ線量は、陽極ターゲット表面が熱電子の衝突により荒れてくるのに伴い、次第に減衰し、トレイ収納範囲内の線量率の最小値も変化する。このため、線量計プローブの露出長さの調整は、定期的に行う必要がある。
【０００９】
線量計プローブの露出長さを調整する手順を詳しく説明する。まず、約１５ｋｇ程度ある防護カバーを取り外し、線量計プローブをモニター位置から取り外し、トレイ収納範囲内の所定個所に配置し、防護カバーを取り付けて線量率を測定する。この動作を繰り返し、トレイ収納範囲内の線量分布を測定する。再び防護カバーを取り外して、線量計プローブをモニター位置の支持部へ差し込み、押しねじで固定する。防護カバーを再び装着し、Ｘ線を照射する。この時のモニター線量率を読取り、線量分布測定によって得られた最小の線量率よりもモニター線量率の値の方が大きければ防護カバーを再び外し、線量計プローブを固定している押しねじを緩め、線量計プローブの放射線検出部を支持部の中に手で引き込む。その後、線量計プローブの押しねじを再度締めて固定する。その後、防護カバーを取り付けて、Ｘ線を照射し、最小の線量率と同じ値になっているかを確認し、同じにならなければ同じ値になるまでこれを繰り返す。
【００１０】
以上のように従来の二方向照射装置では、線量計プローブの位置調整を手作業で行っており、露出長さの調整も目分量に頼るものであるから、引き込み過ぎや出し過ぎによる繰り返し作業が多く、正確に調整するには時間を要していた。重たい防護カバーを取り外し、取り付ける作業を繰り返す必要があり、調整を行う作業者の負担が大きい。また、調整後に押しねじが緩み、線量計プローブの位置ずれが起きると、照射線量不足や過照射等の誤照射を起こす可能性があるため、押しねじの取り付けには細心の注意が必要であった。
【００１１】
本発明の目的は、線量計プローブの位置調整を精度よく、短時間で行うことができる放射線照射装置を提供することにある。
【課題を解決するための手段】
【００１２】
上記目的を達成するために、本発明によれば、以下のような放射線照射装置が提供される。すなわち、被照射物に放射線を照射する放射線照射部と、放射線照射部の放射線照射領域に被照射物を搭載する搭載部と、放射線照射領域の近傍の所定位置に配置された線量計プローブと、線量計プローブの検出した線量により放射線照射部の放射線照射を停止させる制御部とを有する放射線照射装置であって、線量計プローブは、線量計プローブ支持機構に支持され、線量計プローブ支持機構は、線量計プローブの一部を覆う放射線遮蔽体と、放射線遮蔽体を線量計プローブに対して相対的に移動させることにより、線量計プローブが放射線遮蔽体から露出される長さを調整する調整機構とを備える。
【００１３】
例えば上記調整機構は、送りねじと、送りねじの回転量に応じて、放射線遮蔽体を線量計プローブの長手方向に移動させる機構とを含む構成とする。
【００１４】
また、放射線照射部および線量計プローブが配置された空間の外側を覆う放射線防護カバーには、調整機構を操作するための開口を設け、開口には着脱可能な防護カバーを取り付けられていることが好ましい。
【００１５】
放射線防護カバーの開口および着脱可能な防護カバーの少なくともに一方には、開口に着脱可能な防護カバーが取り付けられていることを検出する検出部を備える構成にすることが可能である。
【００１６】
検出部が着脱可能な防護カバーが取り付けられていることを検出していない場合、制御部は、放射線照射部に放射線を照射させないように構成することができる。また、制御部は、着脱可能な防護カバーが取り付けられていない場合、エラー表示を表示部に表示させることも可能である。
【発明の効果】
【００１７】
以上、本発明によれば、線量計プローブの位置調整を精度よく、短時間で行うことができる。また、モニター線量率調整後の位置ずれによる誤照射を防止することができ、かつ、操作者の負担を軽減できる。
【図面の簡単な説明】
【００１８】
【図１】実施形態の放射線照射装置（二方向照射装置）１００の構成を示すブロック図である。
【図２】図１の装置のプローブ支持機構７０の上面図である。
【図３】図２のプローブ支持機構のＡ矢視図である。
【図４】図２の拡大図である。
【図５】図４のＢ矢視図である。
【図６】図２のプローブ支持機構７０の線量計プローブ７ａを支持する機構７０ａを示す上面図である。
【図７】図６のＤ矢視図である。
【図８】実施形態の放射線照射装置の小窓用防護カバー３１を取り外した状態のプローブ支持機構７０の上面図である。
【図９】図８のＦ矢視図である。
【発明を実施するための形態】
【００１９】
以下、本発明の実施形態を添付図面に基づいて説明する。
【００２０】
図１は、本実施形態の放射線照射装置の全体構成を示すブロック図である。ここでは、図１のように二方向から被照射物にＸ線を照射する二方向照射装置を例に説明する。二方向照射装置１００は、トレイ保持部１０と、トレイ保持部１０を挟んで上下に対向配置されたＸ線管装置２，３と、トレイ保持部１０の近傍に配置された線量計プローブ７ａと、プローブ支持機構７０と、これらが配置されている空間を覆うＸ線の遮蔽体１ａとを備えている。トレイ保持部１０は、血液製剤等の被照射物１３ａを収容するトレイ１３を搭載する。トレイ保持部１０は、トレイ１３を外部に搬出するために、遮蔽体１ａの外側の位置１０ａに引き出し可能な構造である。
【００２１】
二方向照射装置１００は、さらに、Ｘ線管装置２、３に電力を供給する高電圧発生ユニット４、Ｘ線管装置２，３を冷却するための冷却装置５、線量計７、タッチパネル等の操作盤８、制御装置６およびバーコードリーダー１４を備えている。
【００２２】
トレイ１３は、厚い血液製剤を内装するためのトレイと、薄い血液製剤を内装するためのトレイの２種類あるいは３種類以上が準備されている。トレイ１３には、各々バーコードが付与されており、バーコードリーダー１４で読み取るとバーコード情報が制御装置６に送られ、トレイの厚みを認識する。
【００２３】
上部Ｘ線管装置２とトレイ１３の間にはＸ線フィルター１１が配置され、下部Ｘ線管装置３とトレイ１３の間にはＸ線フィルター１２が配置されている。Ｘ線フィルター１１，１２は、所定のＸ線透過率のものが用いられる。Ｘ線フィルター１１とＸ線フィルター１２で挟まれた空間を、Ｘ線照射室１ｂと呼ぶ。
【００２４】
上部Ｘ線管装置２には、高電圧発生ユニット４の高電圧発生装置４ａによって独立に高電圧が印加され、下部Ｘ線管装置３には高電圧発生装置４ｂによって独立に高電圧が印加される。これにより、上部Ｘ線管装置２および下部Ｘ線管装置３からそれぞれＸ線線束２ａ，３ａがそれぞれ放射され、トレイ１３内の被照射物に照射される。
【００２５】
冷却装置５は、Ｘ線管装置２、３に冷却油を供給することにより、陽極を冷却する。冷却装置５には、循環式冷却装置（もしくは水道）９が接続されており、Ｘ線管装置２、３によって温められた冷却油を冷却水により冷却する。
【００２６】
線量計７は、線量計プローブ７ａに入射したＸ線量を計測する。線量計プローブ７ａを支持するプローブ支持機構７０には、トレイ１３の厚みに応じてＸ線吸収量の補正を行うための補正フィルター２５が備えられている。プローブ支持機構７０の構成については後で詳しく説明する。
【００２７】
トレイ１３に照射する上部Ｘ線管装置２および下部Ｘ線管装置３の線量、トレイの厚さ等のＸ線照射条件の設定、メッセージ表示、各種データの登録は、操作盤（タッチパネル）８を操作者が操作することによってなされる。遮蔽体１ａは、照射室１ｂからＸ線が外部に漏れないよう遮蔽する。
【００２８】
このように、二つのＸ線管装置２，３により、被照射物１３ａの上面と下面から同時にＸ線線束２ａ，３ａの照射を行うことにより、トレイ１３を裏返す必要がなく、かつ、大線量かつ均一なＸ線照射を行うことができる。線量計プローブ７ａにより照射線量をモニタリングし、線量計７の線量が設定された値に到達したならば、制御装置６は放射線照射を停止する。
【００２９】
二方向照射装置では、Ｘ線照射範囲５０内に置かれた被照射物１３ａに必ず予め定められた値以上の線量率でＸ線が照射されることを担保するため、線量計プローブの露出長さを調整している。調整手順としては、ファントームをＸ線照射範囲５０内に配置し、線量計プローブ７ａを用いて、トレイ収納範囲内の各箇所でＸ線の線量を測定することにより線量分布を求める。線量分布から、トレイ収納範囲５０内の線量率の最小値を特定する。線量分布測定に用いた線量計プローブ７ａを、プローブ支持機構７０に取り付けこの位置で線量計プローブが検出する線量率が、トレイ収納範囲内の最小の線量率以下になるように、線量計プローブ７ａがＸ線遮蔽体から露出される長さを調整する。
【００３０】
以下、図２から図５を用いてプローブ支持機構７０について説明する。図２は、遮蔽体１ａを切り欠いて示したプローブ支持機構７０の上面図、図３は、図２のＡ矢視図（遮蔽体１ａの一部切り欠き）、図４は、図２の拡大図、図４は、図５のＢ矢視図（正面図）である。
【００３１】
図２〜図５に示すように、遮蔽体１ａには、照射室１ｂの線量計プローブ７ａが配置される領域の外側を覆う箱型のカバー３０が備えられている。カバー３０は、遮蔽体１ａ同様のＸ線遮蔽体によって形成されている。
【００３２】
カバー３０の内側の遮蔽体１ａには、プローブ支持機構７０を挿入するための開口が形成されている。開口の外側に、板状のベース６０が固定具６０ａにより固定されている。プローブ支持機構７０は、板状のベース６０に固定され、遮蔽体１ａの開口から照射室１ｂ側に挿入されている。
【００３３】
プローブ支持機構７０は、線量計プローブ７ａを支持する機構７０ａと、補正フィルター２５を支持する機構７０ｂとを含む。補正フィルター２５は、被照射物１３ａの厚みによるＸ線吸収量相当のＸ線量を減衰させ、線量計プローブ７ａで検出されるＸ線量が被照射物１３ａの厚みの中心部のＸ線量となるように補正するフィルター２５である。被照射物１３ａの中心部に照射される線量率の値は、被照射物（血液製剤）１３ａの厚みによって変化し、厚い血液製剤の方が薄い血液製剤よりもＸ線吸収量が大きいため、中心部の線量率の値は、熱い血液製剤の方が薄い血液製剤よりも更に小さくなる。このＸ線吸収量は次の式により表されることは周知である。
Ｉ／Ｉ０＝ｅｘｐ（−μｔ）
（ここにＩ：透過後の線量、Ｉ０：透過前の線量、μ：吸収係数、ｔ：物体の厚さ）
この吸収差を補正するために、二方向照射装置ではＸ線吸収量に応じた補正フィルター２５を必要に応じて、線量計プローブ７ａに被せ、被照射物１３ａの中心部に近い状態に補正し、Ｘ線量をモニタリングする。
【００３４】
補正フィルター２５を支持する機構７０ｂは、図２のモーター２１の駆動力により、補正フィルター２５を矢印７１の方向にスライドさせる機構である。これにより、補正フィルター２５が線量計プローブ７ａを覆った状態と、覆っていない状態とを選択的に切り替える。機構７０ｂは構成は、広く知られているので、詳細な説明は省略する。モーター２１の動作は、制御装置６により制御される。具体的には、操作盤８において操作者が設定した被照射物１３ａの厚さが補正フィルター２５が必要な厚さである場合は、制御装置６は線量計プローブ７ａに補正フィルター２５を被せる方向にフィルター２５をスライドさせるようにモーター２１を駆動し、補正フィルター２５が必要が無い場合には、フィルター２５を退避させる方向にスライドさせるようにモーター２１を駆動する。
【００３５】
線量計プローブ７ａを支持する機構７０ａを説明するために、図４のプローブ支持機構７０から補正フィルター２５の支持機構７０ｂを取り除いた構成の拡大図を図６に示す。図６のＤ矢視図を図７に示す。図６および図７のように、線量計プローブ７ａを支持する機構７０ａは、固定金具４３、支持台４４、遮蔽体４１、コロ４２、ガイド４０、伝達金具４５、送りねじ４６、固定ねじ４７とを備えて構成されている。
【００３６】
線量計プローブ７ａは、固定金具４３に挿入され、固定ねじ４３ａで締めることにより、固定金具４３に固定されている。支持台４４は、長手方向が線量計プローブ７ａと平行で、平らな上面を有し、一端がベース６０に固定されている。固定金具４３は、連結金具４８により、支持台４４の側面に固定されている。
【００３７】
ガイド４０は、遮蔽体４１を直動案内するため、線量計プローブ７ａと平行に配置された棒材であり、一端はベース６０に固定されている。遮蔽体４１は、Ｘ線を遮蔽する材料からなり、２本の平行な貫通孔が設けられている。貫通孔の一方には線量計プローブ７ａの先端部が挿入され、他方にはガイド４０が挿入されている。遮蔽体４１の側面には、コロ４２が取り付けられており、コロ４２は、支持台４４の上面に搭載されている。これにより、遮蔽体４１は、ガイド４０と支持台４４により支持され、かつ、コロ４２により線量計プローブ７ａの長手方向に可動である。
【００３８】
伝達金具４５は、先端の上面がねじ４５ａにより遮蔽体４１の下面と連結されている。伝達金具４５のベース側の端面には、送りねじ４６が挿入されている。また、伝達金具４５のベース側の端面には、固定ねじ４７の先端が突き当てられている。固定ねじ４７がベース６０と接する部分には、固定ねじ４７をロックするためのナット４７ａが配置されている。
【００３９】
次に各部の動きについて説明する。操作者が固定ねじ４７のロックナット４７ａを緩めてロックを解除し、送りねじ４６を時計回りに回転させると、伝達金具４５がベース６０に接近する方向へ移動を始め、連結されている遮蔽体４１もガイド４０に案内されてベース６０方向に接近する方向に移動する。これにより、線量計プローブ７ａの先端の放射線検出部７ｂが遮蔽体４１から露出される長さが長くなり、モニターされる線量率を増加させることができる。
【００４０】
一方、送りねじ４６を半時計回りに回転させると、伝達金具４５と遮蔽体４１は、ベース６０から遠ざかる方向に移動し、遮蔽体４１が、放射線検出部７ｂの上に被さるため、放射線検出部７ｂのモニターする線量率を低下させることができる。送りねじ４６のねじピッチを細かくすれば、遮蔽体４１をより微細に調整することが可能なる。
【００４１】
また線量計プローブ７ａの位置は、プローブ固定金具４３、連結金具４８、支持台４４を介してベース６０に固定されているため、操作者が、送りねじ４６を回転させてモニター線量率の調整作業を行っても、線量計プローブ７ａが位置ずれを起こす心配がない。
【００４２】
このように、本実施形態では、送りねじ４６を回転させる操作を操作者が行うことにより、線量計プローブ７ａの先端の放射線検出部７ｂが遮蔽体４１から露出される長さを連続的に微細に調整することができる。これにより、従来のように操作者が試行錯誤で線量計プローブの位置を調整してモニター線量率を調整すること必要がなく、精度よく線量計プローブのモニター線量率を調整することができる。
【００４３】
しかも、本実施形態では、一般に約１５ｋｇ程度の重たい防護カバー３０全体を取り外すことなく、線量計プローブ７ａのモニター線量率を調整することができる。以下、これを説明する。
【００４４】
線量計プローブ７ａの露出長さを調整するための送りねじ４６は、ベース６０の外側に配置されている。本実施形態では、図２〜図５に示したように、防護カバー３０の送りねじ４６および固定ねじ４７に対向する領域に、小窓（開口）３０ａを設け、小窓用防護カバー３１をねじ３１ａにより着脱可能に取り付けている。小窓用防護カバー３１は、防護カバー３０と同じＸ線を遮蔽する材質である。
【００４５】
よって、線量計プローブ７ａのモニター線量率を調整する際には、小窓用防護カバー３１を図８、図９のように取り外すことにより、小窓３０ａを開放し、操作者が小窓３０ａを通して、送りねじ４６、固定ねじ４７およびナット４７ａにアクセスすることができる。本実施形態では、１５ｋｇ程度の重たい防護カバー３０を外す必要がなく、２ｋｇ程度の小窓用防護カバー３０を外して送りねじ４６とロックナット４７にアクセスすることができるため、操作者の負担を軽減できる。なお、図８、図９において、７ｃは、線量計プローブ７ａと線量計７とを接続するケーブルである。
【００４６】
また、Ｘ線照射範囲５０の線量分布測定時には、線量計プローブ７ａを支持機構７０ａから取り外す必要があるが、本実施形態では、連結金具４８を固定金具４３から取り外すことにより、線量計プローブ７ａを固定金具４３ごと取り外し、照射室１ｂ内に引き出して線量分布を測定することができる。つまり防護カバー３０全体を取り外すことなく、線量計プローブ７ａを固定金具４３ごと取り外して、線量分布測定を行うことができる。また、線量計の校正等のために、線量計プローブ７ａを照射室１ｂの外部に取り出す場合には、固定ねじ４３ａを緩め線量計プローブ７ａから固定金具を取り外したうえで、小窓３０ａから線量計プローブ７ａのみを取り出すことができる。つまり防護カバー３０全体を取り外すことなく、小窓３０ａから線量計プローブ７ａの脱着作業が可能になる。従来装置では、線量分布測定および線量計の構成等の場合には、防護カバー全体を取り外し、その後、照射室内のつまみねじを緩めて線量計プローブを引き抜く必要があったが、本実施形態では防護カバー３０全体を取り外す必要がないため、操作者の作業が軽減される。
【００４７】
更に本実施形態では、小窓用防護カバー３１の付け忘れによるＸ線漏えいが発生しないように、ベース６０に検出スイッチ３３を設け、小窓用防護カバー３１の内側に、検出スイッチ３３を押すための突起状のカム３４を付加している。これにより、検出スイッチ３３が図４のように小窓用防護カバー３１のカム３４で押されていることを電気的に検出することができ、小窓用防護カバー３１の付け忘れを検出できる。検出スイッチ３３がカム３４で押されていない時には、制御装置６は、Ｘ線照射が開始できないように構成されている。また、制御装置６は、小窓用防護カバー３１のつけ忘れを示すエラー表示を操作盤８の表示部に表示する等により操作者に報知する。
【００４８】
このように、本発明ではモニター線量率の調整機構を設けることで、調整時間の短縮を図ることができ、更に線量計プローブの位置ずれによる誤照射を防止することが可能である。また、重たい防護カバーを取り外すことなく調整が可能であり、操作者の負担を軽減させ、モニター線量率の調整が可能である。
【００４９】
なお、本実施形態では、放射線としてＸ線を照射する装置について説明したが、γ線等の他の放射線の照射装置に本発明を適用することも可能である。
【符号の説明】
【００５０】
１：防護ボックス、１ａ：遮蔽体、１ｂ：照射室、２：上部Ｘ線管装置、２ａ：上部Ｘ線線束、３：下部Ｘ線管装置、３ａ：下部Ｘ線線束、４：高電圧発生ユニット、４ａ：高電圧発生装置、４ｂ：高電圧発生装置、５：冷却装置、６：制御装置、７：線量計、７ａ：線量計プローブ、７ｂ：放射線検出部、７ｃ：線量計プローブケーブル、８：操作盤（タッチパネル）、９：循環式冷却装置もしくは水道水、１０：トレイ保持部、１０ａ：トレイ保持部搬出位置、１１：Ｘ線フィルター、１２：Ｘ線フィルター、１３：バーコード付トレイ、１３ａ：被照射物、１４：バーコードリーダー、２１：フィルター駆動モータ、２５：補正フィルター、３０：防護カバー、３１：小窓用防護カバー、３３：小窓用防護カバー付け忘れ検出スイッチ、３４：カム、４０：ガイド、４１：遮蔽体、４２：コロ、４３：プローブ固定金具、４４：支持台、４５：伝達金具、４６：送りねじ、４７：固定ねじ、４７ａ：固定ナット、４８：連結金具、５０：トレイ収納範囲内に相当するＸ線照射範囲、６０：ベース、７０：プローブ支持機構、７０ａ：線量計プローブ支持機構、７０ｂ：補正フィルター支持機構、１００：Ｘ線照射装置（二方向照射装置）
【図１】
0005800588.tif 000002
【図２】
0005800588.tif 000003
【図３】
0005800588.tif 000004
【図４】
0005800588.tif 000005
【図５】
0005800588.tif 000006
【図６】
0005800588.tif 000007
【図７】
0005800588.tif 000008
【図８】
0005800588.tif 000009
【図９】
0005800588.tif 000010